(57)【要約】      （修正有）【課題】便器の据付部の清掃及び便器の据付部からの取り外しが容易に行える温水洗浄便座装置を提供。【解決手段】洗浄機構その他の機能部を収容し且つ左右方向に延在するケース１２のベース部１４が、便器後部の据付部に固定されたプレート３０に装着された温水洗浄便座装置１０において、ベース部１４とプレート３０との間に移動機構を介装し、プレート３０の後方位置におけるベース部１４のプレート３０に対する固定及び解除と、プレート３０から解除されたベース部１４のプレート３０に沿った、後方位置から前方位置への移動と、前方位置におけるベース部１４のプレート３０に対する固定及び解除と、前方位置におけるプレート３０から解除されたベース部１４のプレート３０に対するチルト状態の維持と、前方位置におけるプレート３０から解除されたベース部１４のプレート３０からの分離とがなされるようにした。【選択図】図４
2006241945.tif 000002
【特許請求の範囲】
【請求項１】
洗浄機構その他の機能部を収容し且つ左右方向に延在するケースのベース部が、便器後部の据付部に固定されたプレートに装着された温水洗浄便座装置において、
前記ベース部と前記プレートとの間に移動機構を介装し、前記移動機構により、前記プレートの後方位置における前記ベース部の前記プレートに対する固定及び解除と、前記プレートから解除された前記ベース部の前記プレートに沿った、前記後方位置から前方位置への移動と、前記前方位置における前記ベース部の前記プレートに対する固定及び解除と、前記前方位置における前記プレートから解除された前記ベース部の前記プレートに対するチルト及び前記チルト状態の維持と、前記前方位置における前記プレートから解除された前記ベース部の前記プレートからの分離とがなされるようにした、温水洗浄便座装置。
【請求項２】
前記移動機構は、前記プレートに刻設された前方開放の所定形状を有するカム溝及び前記ベース部から突出して前記カム溝に滑動自在に挿架されるピンを備え、前記ピンの前記カム溝内での位置に応じて、前記後方位置における前記ベース部の前記プレートに対する固定及び解除と、前記前方位置における前記ベース部の前記プレートに対する固定及び解除とがなされる、請求項１記載の温水洗浄便座装置。
【請求項３】
前記移動機構は、前記プレートに刻設された前方開放の所定形状を有するカム溝及び前記ベース部から突出して前記カム溝に滑動自在に挿架されるピンを備え、操作部材を所定量だけ往動させることにより前記ピンを前記カム溝内で移動させ、その後、前記ピンが前記前方位置に至った時は、前記操作部材は前記所定量だけ復動して、前記ベース部は前記プレートに対して自動的に固定されるようにした、請求項１記載の温水洗浄便座装置。
【請求項４】
洗浄機構その他の機能部を収容し且つ左右方向に延在するケースのベース部が、便器後部の据付部に固定されたプレートに装着された温水洗浄便座装置において、前記ベース部と前記プレートとの間に移動機構を介装し、前記移動機構は、前記ベース部の前方位置における前記ベース部の前記プレートに対するチルト状態を維持する自立機構を備えた、温水洗浄便座装置。
【請求項５】
前記自立機構は、前記ベース側に設けられ、前記自立機構のラッチ部材が前記プレート側の斜面に乗り上げるようにした、請求項４記載の温水洗浄装置。
【請求項６】
洗浄機構その他の機能部を収容し且つ左右方向に延在するケースのベース部が便器後部の据付部に装着された温水洗浄便座装置において、移動機構を、前記ベース部と前記便器後部の据付部に固定されたプレートとの間に介装し、前記移動機構を、
前記ケースのベース部側に装着され且つ外部からの操作により水平方向に移動可能なレバー体と、
前記レバー体から下方向に突出する第１ピン及び第２ピンと、
前記プレートに刻設され、前記第１ピン及び前記第２ピンを滑動自在に受容し、前方端部が開放されている第１溝部及び第２溝部と、
前記第１溝部及び前記第２溝部の後方端部から水平方向の一方側に連続するように夫々前記プレートに刻設された第１退避溝及び第２退避溝と、
前記第１ピン及び前記第２ピンが夫々第１退避溝及び第２退避溝に位置しているときに前記レバー体を移動させて前記第１ピン及び前記第２ピンを夫々前記第１溝部の後方端部及び前記第２溝部の後方端部に変移させた後に前記ケースを前方に引き出し、前記第１溝部及び前記第２溝部の壁面のカム作用で原位置に復帰した前記レバー体を操作して前記第１ピン及び前記第２ピンを水平方向の一方側にシフトしない限り、前記第１ピン及び前記第２ピンの更なる前進を、夫々、阻止する第１ストッパ部及び前記第２ストッパ部とから構成した、温水洗浄便座装置。
【請求項７】
前記移動機構は、更に、
前記第１溝部と前記第２溝部との間に位置し且つ前方端部が開放されるように前記プレートに刻設された第３溝部と、
前記第３溝部を画成する一対の対向壁に夫々前記第３溝部に向かって傾斜するように形成された第１斜面部及び第２斜面部と、
前記ケースのベース部の裏面に一体的に設けられ、左右方向の両端面から夫々外方向に弾性力により突出する第１ラッチ体及び第２ラッチ体を有する自立機構とを備え、
前記第１ピン及び前記第２ピンの前進が、夫々、第１ストッパ部及び前記第２ストッパ部により阻止されている状態の下、前記ケースを前記便器に対してチルトしたとき、前記第１ラッチ体及び前記第２ラッチ体が夫々前記第１斜面及び前記第２斜面に乗り上げるようにしてなる、請求項６記載の温水洗浄便座装置。
【発明の詳細な説明】
【技術分野】
【０００１】
本発明は、温水洗浄便座装置に関する。
【背景技術】
【０００２】
周知のように、温水洗浄便座装置は、洗浄機構その他の機能部を収容し且つ左右方向に延在するケースのベース部を、便器後部の据付部に装着される。しかして、据付面とケースのベース部との間には不可避的に空隙が形成され、この空隙に侵入したゴミ・ホコリが据付面に付着する。このゴミ・ホコリを払拭し、便器表面の清掃を容易に行うために、例えば、特許文献１に開示されるように、浮上機構を用いてケースを所定高さだけ便器据付面から浮上させるようになっている。
【特許文献１】特開平９−３１６９７６号公報
【発明の開示】
【発明が解決しようとする課題】
【０００３】
特許文献１に開示された温水洗浄便座装置においては、確かに、浮上機構により、ケースが、便器の据付部から所定高さだけ浮上され、この結果としてケースと便器据付部との間の空間に手を入れて、便器据付部の表面の払拭ないしは清掃が頗る容易化され、実用上、多大な効果を奏する。
【０００４】
しかしながら、浮上機構が簡単な構成ではないため、温水洗浄装置全体を便器から取り外すのが困難で、実用上、問題なしとしない。すなわち、温水洗浄便座装置を長期間使用しない場合や凍結防止のため、温水タンクの水抜きを行う必要があるが、この場合、温水洗浄装置全体を便器から取り外し、ケースの側部のドレインバルブをバケツの上で開放する作業が行われる。特許文献１に開示される温水洗浄便座装置は、迅速且つ簡易に温水洗浄装置全体を便器から取り外すのが困難で、更なる改善が要請される。
【０００５】
それ故に、本発明は、便器の据付部の清掃及び便器の据付部からの取り外しが容易に行える温水洗浄便座装置を提供することを、その技術的課題とする。
【課題を解決するための手段】
【０００６】
上記の技術的課題を解決するために講じた第１の技術的手段は、請求項１に記載のように、
「洗浄機構その他の機能部を収容し且つ左右方向に延在するケースのベース部が、便器後部の据付部に固定されたプレートに装着された温水洗浄便座装置において、
前記ベース部と前記プレートとの間に移動機構を介装し、前記移動機構により、前記プレートの後方位置における前記ベース部の前記プレートに対する固定及び解除と、前記プレートから解除された前記ベース部の前記プレートに沿った、前記後方位置から前方位置への移動と、前記前方位置における前記ベース部の前記プレートに対する固定及び解除と、前記前方位置における前記プレートから解除された前記ベース部の前記プレートに対するチルト及び前記チルト状態の維持と、前記前方位置における前記プレートから解除された前記ベース部の前記プレートからの分離とがなされるようにした、温水洗浄便座装置。」
を構成したことである。
【０００７】
上記した第１の技術的手段における移動機構に関しては、請求項２記載のように、「前記移動機構は、前記プレートに刻設された前方開放の所定形状を有するカム溝及び前記ベース部から突出して前記カム溝に滑動自在に挿架されるピンを備え、前記ピンの前記カム溝内での位置に応じて、前記後方位置における前記ベース部の前記プレートに対する固定及び解除と、前記前方位置における前記ベース部の前記プレートに対する固定及び解除とがなされる」ように構成されるのが望ましい（第２技術的手段）。
【０００８】
上記した第１の技術的手段における移動機構に関しては、請求項３記載のように、「前記移動機構は、前記プレートに刻設された前方開放の所定形状を有するカム溝及び前記ベース部から突出して前記カム溝に滑動自在に挿架されるピンを備え、操作部材を所定量だけ往動させることにより前記ピンを前記カム溝内で移動させ、その後、前記ピンが前記前方位置に至った時は、前記操作部材は前記所定量だけ復動して、前記ベース部は前記プレートに対して自動的に固定されるようにする」ように構成するのが望ましい（第３技術的手段）。
【０００９】
上記の技術的課題を解決するために講じた第４の技術的手段は、請求項４に記載のように、「洗浄機構その他の機能部を収容し且つ左右方向に延在するケースのベース部が、便器後部の据付部に固定されたプレートに装着された温水洗浄便座装置において、前記ベース部と前記プレートとの間に移動機構を介装し、前記移動機構は、前記ベース部の前方位置における前記ベース部の前記プレートに対するチルト状態を維持する自立機構を備えた、温水洗浄便座。」構成するのが望ましい。
【００１０】
上記した第４の技術的手段における移動機構に関しては、請求項５記載のように、「前記自立機構は、前記ベース側に設けられ、前記自立機構のラッチ部材が前記プレート側の斜面に乗り上げるように」構成するのが望ましい（第５技術的手段）。
【００１１】
上記の技術的課題を解決するために講じた第６の技術的手段は、請求項６に記載のように、「洗浄機構その他の機能部を収容し且つ左右方向に延在するケースのベース部が便器後部の据付部に装着された温水洗浄便座装置において、移動機構を、前記ベース部と前記便器後部の据付部に固定されたプレートとの間に介装し、前記移動機構を、
前記ケースのベース部側に装着され且つ外部からの操作により水平方向に移動可能なレバー体体と、
前記レバー体から下方向に突出する第１ピン及び第２ピンと、
前記プレートに刻設され、前記第１ピン及び前記第２ピンを滑動自在に受容し、前方端部が開放されている第１溝部及び第２溝部と、
前記第１溝部及び前記第２溝部の後方端部から水平方向の一方側に連続するように夫々前記プレートに刻設された第１退避溝及び第２退避溝と、
前記第１ピン及び前記第２ピンが夫々第１退避溝及び第２退避溝に位置しているときに前記レバー体を移動させて前記第１ピン及び前記第２ピンを夫々前記第１溝部の後方端部及び前記第２溝部の後方端部に変移させた後に前記ケースを前方に引き出し、前記第１溝部及び前記第２溝部の壁面のカム作用で原位置に復帰した前記駆動体を操作して前記第１ピン及び前記第２ピンを水平方向の一方側にシフトしない限り、前記第１ピン及び前記第２ピンの更なる前進を、夫々、阻止する第１ストッパ部及び前記第２ストッパ部とから構成した、温水洗浄便座装置。」
を構成したことである。
【００１２】
上記した第６の技術的手段における移動機構に関しては、請求項６記載のように、「前記移動機構は、更に、
前記第１溝部と前記第２溝部との間に位置し且つ前方端部が開放されるように前記プレートに刻設された第３溝部と、
前記第３溝部を画成する一対の対向壁に夫々前記第３溝部に向かって傾斜するように形成された第１斜面部及び第２斜面部と、
前記ケースのベース部の裏面に一体的に設けられ、左右方向の両端面から夫々外方向に弾性力により突出する第１ラッチ体及び第２ラッチ体を有する自立機構とを備え、
前記第１ピン及び前記第２ピンの前進が、夫々、第１ストッパ部及び前記第２ストッパ部により阻止されている状態の下、前記ケースを前記便器に対してチルトしたとき、前記第１ラッチ体及び前記第２ラッチ体が夫々前記第１斜面及び前記第２斜面に乗り上げるように」構成するのが望ましい。
【発明の効果】
【００１３】
請求項１で定義される発明に係る温水洗浄便座装置によれば、移動機構がケースの前方への移動・チルト・便器からの離脱を許容するので、便器の据付部の清掃及び温水洗浄便座装置の便器の据付部からの取り外しが容易に行うことが出来る。
【００１４】
請求項２で定義される発明に係る温水洗浄便座装置によれば、ケースの便器側プレートへの固定・解除をピンのみで行え、移動機構の構成を簡素できる。
【００１５】
請求項３に係る温水洗浄便座装置によれば、ピンが後方位置から前方位置への移動が官完了すると同時に、ケースの便器側プレートへの固定が行え、操作性が良くなる（別途、固定のための操作が不要となる）。
【００１６】
請求項４に係る温水洗浄便座装置によれば、温水洗浄便座装置のチルト状態が維持されるので、温水洗浄便座装置のチルト状態を手で維持する場合に比べ、清掃性が格段に向上する。
【００１７】
請求項５に係る温水洗浄便座装置によれば、温水洗浄便座装置のチルト状態を維持する自立機構が便器側にないので、便器面の清掃が広い範囲にわたって円滑に行える。
【００１８】
請求項６に係る温水洗浄便座装置によれば、（１）ケースの前方への移動・チルト・便器からの離脱が行える、（２）ケースの便器側プレートへの固定・解除をピンのみで行え、移動機構の構成を簡素に出来る、（３）ピンが後方位置から前方位置への移動が官完了すると同時に、ケースの便器側プレートへの固定が行え、操作性が良くなる（別途、固定のための操作が不要となる）という、実用上、多大な効果を奏する。
【００１９】
請求項７に係る温水洗浄便座装置によれば、温水洗浄便座装置のチルト状態が維持されるので、温水洗浄便座装置のチルト状態を手で維持する場合に比べ、清掃性が格段に向上する。同時に、温水洗浄便座装置のチルト状態を維持する自立機構が便器側にないので、便器面の清掃が広い範囲にわたって円滑に行える。
【発明を実施するための最良の形態】
【００２０】
以下、本発明の実施形態の例について、図面に基づいて説明する。
【００２１】
図１に示されるように、温水洗浄便座装置１０は、ケース部１２を備える。ケース１２の内部空間（図示略）には、洗浄機構その他の機能部を収容する。ケース１２は、左右方向（図１の紙面に対して垂直方向）に延在する。ケース１２には、便座１６及び便蓋１８が枢着されている。ケース１２のベース部１４は、便器２０の後部の据付部２２上に固定されるプレート３０を介して装着され、結果、温水洗浄便座装置１０が、便器２０の据付部２２に設置されることになる。しかして、ケース１２のベース部１４とプレート３０との間には、後で詳しく説明する移動機構が介装されており、この移動機構は、温水洗浄便座装置１０の前方への引き出し（図２）、便器２０に対するチルト（図３）及び便器２０からの完全離脱（図４）を可能とする。そして、図２、図３及び図４の状態では、夫々、便器２０の据付部２２の後方表面の清掃、便器２０の据付部２２の前方表面の清掃及び便器２０の据付部２２の全表面の清掃が可能となる。移動機構は、ケース１２のベース部１４から下方に突出する一対のピン４０Ｌ・４０Ｒ（図４では一方のみ表示）が、プレート３０に刻設された一対の溝（後で詳細に説明）に沿って移動する過程で、ケース１２延いては温水洗浄便座装置１０をして、図１〜図４の態様を取らしめるものである。
【００２２】
上記したように、ケース１２の前方への移動・チルト・便器２０からの離脱が一連の操作で行えるので、便器２０の据付部２２の清掃及び温水洗浄便座装置１０の便器２０の据付部２２からの取り外しが容易に行うことが出来る。また、ケース１２の便器側プレート３０への固定・解除をピン４０Ｌ・４０Ｒのみで行え、移動機構の構成を簡素できる。更に、ピン４０Ｌ・４０Ｒが後方位置から前方位置への移動が完了すると同時に、ケース１２の便器側プレート３０への固定が自動的に行え、操作性が良くなる（別途、固定のための操作が不要となる）。
【００２３】
以下においては、移動機構の詳細について説明する。
【００２４】
図５及び図６に示されるように、レバー体５０がケース１２に対して左右方向に所定範囲、相対移動可能に支持されている。しかして、レバー体５０には、一対のピン４０Ｒ・４０Ｌが設けられており、このピン４０Ｒ・４０Ｌは、ベース部１４を通過して、下方に突出する。レバー体５０の左端部５０Ｌが、操作部となる。
【００２５】
図７に示されるように、プレート３０には、一対の、同一形状の溝６０Ｌ・６０Ｒが、前方開放の態様で、刻設されている。しかして、溝６０Ｌ（溝６０Ｒ）は、ケース１２から下方向に突出するピン４０Ｌ（ピン４０Ｒ）を滑動自在に受容する。溝６０Ｌ（溝６０Ｒ）は、後端側において、退避部６１Ｌ（退避部６１Ｒ）が形成される。ピン４０Ｌ（ピン４０Ｒ）が退避部６１Ｌ（退避部６１Ｒ）内に位置しているとき（図８）は、ケース１２を前方に引き出そうとしても、ピン４０Ｌ（ピン４０Ｒ）が退避部６１Ｌ（退避部６１Ｒ）の前方内壁をなす壁面６２Ｌ（壁面６２Ｒ）と係合するので、この引き出しは阻止される。
【００２６】
温水洗浄便座装置１０が図１の位置にあるとき、操作部５０Ｌを操作してレバー体５０を外方向（左方向）にフルに移動させると、ピン４０Ｌ（ピン４０Ｒ）が退避部４１Ｌ（退避部４１Ｒ）から抜け出て、壁面６２Ｌ（壁面６２Ｒ）と対峙しない位置、つまり溝６０Ｌの左側壁後方部６３Ｌ（溝６０Ｒの左側壁後方部６３Ｒ）に当接する位置まで移動される（図９）。
【００２７】
次いで、この状態からケース１２を前方に引き出すと、ピン４０Ｌ（ピン４０Ｒ）は、溝６０Ｌの左側壁後方部６３Ｌ（溝６０Ｒの左側壁後方部６３Ｒ）にガイドされて、後方左側カム面６４Ｌと後方右側カム面６９Ｌとの間（後方左側カム面６４Ｒと後方右側カム面６９Ｒとの間に至る。それ以降、ピン４０Ｌ（ピン４０Ｒ）は、右側直線壁６５Ｌ（右側直線壁６５Ｒ）に沿って前進し、この前進は、ピン４０Ｌ（ピン４０Ｒ）が前方部内壁６６Ｌ（前方部内壁６６Ｒ）と当接するまで続く。ピン４０Ｌ（ピン４０Ｒ）が前方部内壁６６Ｌ（前方部内壁６６Ｒ）と当接する直前までは、温水洗浄便座装置１０は、図２に示す状態を呈する。しかして、ピン４０Ｌ（ピン４０Ｒ）が前方部内壁６６Ｌ（前方部内壁６６Ｒ）と当接した（図１０）後、ケース１２を持ち上げると、後述する自立機構７０の作用により、温水洗浄便座１０が、図３に示されるように、便器２０に対して前方にチルトした状態が維持される。尚、ピン４０Ｌ（ピン４０Ｒ）が、溝６０Ｌの左側壁後方部６３Ｌ（溝６０Ｒの左側壁後方部６３Ｒ）にガイドされて、後方左側カム面６４Ｌと後方右側カム面６９Ｌとの間（後方左側カム面６４Ｒと後方右側カム面６９Ｒとの間に至る過程で、レバー体５０は、後方左側カム面６４Ｌ（後方左側カム面６４Ｒ）のカム作用で右側に移動して、原位置に復帰する。
【００２８】
ピン４０Ｌ（ピン４０Ｒ）が図１０の状態にあるとき（温水洗浄便座装置１０が図３の位置にあるとき）、操作部５０Ｌをケース１２から引き出し操作してレバー体５０を外方向（左方向）にフルに移動させると、ピン４０Ｌ（ピン４０Ｒ）が左側にシフトして、前方部内壁６６Ｌ（前方部内壁６６Ｒ）と対峙しない位置、つまり溝６０Ｌの前方開放口６７Ｌ（溝６０Ｒの前方開放口６７Ｒ）に対峙する位置まで移動される（図１１）。この状態からケース１２を前方に引き出すと、ピン４０Ｌ（ピン４０Ｒ）が溝６０Ｌの前方開放口６７Ｌ（溝６０Ｒの前方開放口６７Ｒ）から完全に抜け出て、温水洗浄便座装置１０は、図４に示す状態になる。
【００２９】
次に、自立機構７０について説明する。
【００３０】
図７及び図１２に示されるように、自立機構７０が、ケース１２のベース部１４の裏面に、補強板９０を介して、ネジ９２・９２により一体的に設けられる。自立機構７０は、溝６０Ｌと溝６０Ｒとの間に位置すべくプレート３０に前方開放の態様で刻設された中央溝８０内に遊嵌される。自立機構７０の左端面（右端面）からは、スプリング７１Ｌ（７１Ｒ）により外方向に付勢されたラッチ体７２Ｌ（スプリング７１Ｒにより外方向に付勢されたラッチ体７２Ｒ）が突出している。ラッチ体７２Ｌ（ラッチ体７２Ｒ）は、ピン４０Ｌ（ピン４０Ｒ）が図８の位置から図１０の位置に変移する間、中央溝８０の左側壁８１Ｌ（右側壁８１Ｒ）上をスライド走行する。ピン４０Ｌ（ピン４０Ｒ）が前方部内壁６６Ｌ（前方部内壁６６Ｒ）と当接した（図１０）後、ケース１２が持ち上げられて温水洗浄便座装置１０のチルト状態がもたらされると、右方向に下降し且つ前方に上昇する斜面８２Ｌ（左方向に下降し且つ前方に上昇する斜面８２Ｒ）に、スプリング７１Ｌにより外方向に付勢されたラッチ体７２Ｌ（スプリング７１Ｒにより外方向に付勢されたラッチ体７２Ｒ）が乗り上げ、ラッチ体７２Ｌ及びラッチ体７２Ｒがケース１２延いては温水洗浄便座装置１０のチルト状態を維持する。尚、ケース１２を押し下げることで、チルト状態が解除される。
【００３１】
しかして、温水洗浄便座装置１０のチルト状態が維持されると、温水洗浄便座装置１０のチルト状態を手で維持する場合に比べ、清掃性が格段に向上する。同時に、温水洗浄便座装置１０のチルト状態を維持する自立機構７０が温水洗浄便座装置１０側にあって、便器２０側にないので、便器２０の上面の清掃が広い範囲にわたって円滑に行え、実用上、多大な効果を奏する。
【図面の簡単な説明】
【００３２】
【図１】本発明の一実施形態例に係る温水洗浄便座装置が便器の後部据付部に装着された状態を示す図である。
【図２】図１の温水洗浄便座が前方に引き出されて静止している状態を示す図である。
【図３】図１の温水洗浄便座装置が、図２の状態からチルトされ、その状態が維持されていることを示す図である。
【図４】図１の温水洗浄便座装置が、図３の状態から前方に引き出されて、便器から完全に取り外された状態を示す図である。
【図５】ピンを備えたレバー及び自立機構のケースへの装着状態を模式的に示す図である。
【図６】レバー体の平面図である。
【図７】プレートの斜視図である。
【図８】温水洗浄便座装置が図１の状態にあるときの、ピンとプレートとの相対位置関係を示す図である。
【図９】温水洗浄便座装置が図１の状態からロック解除されたときの、ピンとプレートとの相対位置関係を示す図である。
【図１０】温水洗浄便座装置が図２の状態にあるときの、ピンとプレートとの相対位置関係を示す図である。
【図１１】温水洗浄便座装置が図３の状態にあるときの、ピンとプレートとの相対位置関係を示す図である。
【図１２】温水洗浄便座装置が図１〜図２の状態にあるときの、自立機構の作動説明図。
【図１３】温水洗浄便座装置が図３の状態にあるときの、自立機構の作動説明図。
【符号の説明】
【００３３】
１０：温水洗浄便座装置
１２：ケース
１４：ベース部
１６：便座
１８：便蓋
２０：便器
３０：プレート
４０Ｌ・４０Ｒ：ピン
５０：レバー体
５０Ｌ：操作部
６０Ｌ・６０Ｒ：溝
６１Ｌ・６１Ｒ：退避部
６２Ｌ・６２Ｒ：壁面
６３Ｌ・６３Ｒ：壁後方部
６４Ｌ・６４Ｒ：カム面
６５Ｌ・６５Ｒ：直線壁
６６Ｌ・６６Ｒ：前方部内壁
７０：自立機構
７１Ｌ・７１Ｒ：スプリング
７２Ｌ・７２Ｒ：ラッチ体
８０：溝
８２Ｌ・８２Ｒ：斜面
９０：補強板
９２：ネジ
【図１】
2006241945.tif 000003
【図２】
2006241945.tif 000004
【図３】
2006241945.tif 000005
【図４】
2006241945.tif 000006
【図５】
2006241945.tif 000007
【図６】
2006241945.tif 000008
【図７】
2006241945.tif 000009
【図８】
2006241945.tif 000010
【図９】
2006241945.tif 000011
【図１０】
2006241945.tif 000012
【図１１】
2006241945.tif 000013
【図１２】
2006241945.tif 000014
【図１３】
2006241945.tif 000015